(57)【要約】      （修正有）【課題】浄水器底部を簡単に清掃可能な据置型浄水器を提供する。【解決手段】据置型浄水器は、水道などの蛇口に直接接続される流路切替器と、水道水などの原水を浄化するろ材を有するカートリッジ４を内蔵した浄水器本体５と、流路切替器と浄水器本体５とを連通接続してカートリッジ４に原水を供給するホース６と、浄水器本体５の上部に左右方向にスイング自在に支持された浄水ノズル７と備えている。この浄水器本体５の外枠１２の底部１４には平板状のカバー１５が着脱自在に嵌着されている。【選択図】図２
2015047589.tif 000002
【特許請求の範囲】
【請求項１】
蛇口に接続される流路切替器を介して供給される原水を浄水器本体内に導いて浄化し、浄化ノズルから排出する据置型浄水器であって、
前記浄水器本体は、原水を浄化するろ材を有するカートリッジと、該カートリッジを収容する本体ケースとを備え、
底面が平坦状のカバーを前記本体ケースの底部に着脱自在に設けたことを特徴とする据置型浄水器。
【請求項２】
前記カバーを前記本体ケースの底部に嵌着したことを特徴とする請求項１記載の据置型浄水器。
【請求項３】
前記カバーを前記本体ケースの底部に螺設したことを特徴とする請求項１記載の据置型浄水器。
【請求項４】
前記本体ケースと前記カバーとは相互に回動可能に設置されていることを特徴とする請求項１〜３のいずれか１項に記載の据置型浄水器。
【発明の詳細な説明】
【技術分野】
【０００１】
本発明は、家庭用水道水などの原水をろ過する浄水器であって、特に家庭用の据置型浄水器に関する。
【背景技術】
【０００２】
浄水能力の大きな家庭用浄水器としては、特許文献１，２に示すようなキッチンシンク回りに設置して使用される据置型浄水器が知られている。
【０００３】
この据置型浄水器は、水道などの蛇口に接続される流路切替器と、水道水などの原水を浄化するカートリッジを内蔵した浄水器本体と、流路切替器と浄水器本体とを連通接続してカートリッジに原水を供給するホースと、浄水器本体の上部にスイング自在に支持された浄水ノズルとを有している。
【０００４】
この浄水器本体の底部の部材、例えば底板やベース部材などには前記ホースが連結され、またはホース連結のために凹凸を有した構造となっている。そして、前記ホースを通じて浄水器本体内に供給された原水がカートリッジを通じて浄化され、浄化された浄水が浄水ノズルを通じて排出されている。
【先行技術文献】
【特許文献】
【０００５】
【特許文献１】特開平１１−４７７３１号公報
【特許文献２】特開２００３−３２６２５２号公報
【発明の概要】
【発明が解決しようとする課題】
【０００６】
しかしながら、据置型浄水器は主にキッチンシンクの周辺に設置されるため、食器洗浄時や調理作業時などにキッチンシンクからの水跳ねによって浄水器の底部（浄水器本体の底部）が汚れることが少なくない。
【０００７】
この場合にユーザが据置型浄水器の底面を清掃する際には、ホースが連結され状態で相当な重量の浄水器本体を持ち上げ続けていなければならず、特に浄水器本体の底部には凹凸があるので容易に清掃しえないおそれがあった。
【０００８】
本発明は、上述のような問題点を解決するためになされたものであり、浄水器底部を簡単に清掃可能な据置型浄水器を提供することを解決課題とする。
【課題を解決するための手段】
【０００９】
本発明は、蛇口に接続される流路切替器を介して供給される原水を浄水器本体内に導いて浄化し、浄化ノズルから排出する据置型浄水器であって、前記浄水器本体は、原水を浄化するろ材を有するカートリッジと、該カートリッジを収容する本体ケースとを備え、底面が平坦状のカバーを前記本体ケースの底部に着脱自在に設けたことを特徴としている。
【００１０】
この発明によれば、浄水器底部の清掃時には前記カバーを前記本体ケースから取り外し、取り外したカバーの底面などを清掃するだけでよく、ユーザが簡単に清掃することができる。なお、前記カバーは前記本体ケースに嵌着，螺設などの手段で取り付けることができ、また相互に回動可能となっていてもよい。
【発明の効果】
【００１１】
本発明によれば、底部汚れの清掃が容易な据置型浄水器を提供することができる。
【図面の簡単な説明】
【００１２】
【図１】本発明の第１実施形態に係る据置型浄水器の概略全体斜視図。
【図２】本発明の第１実施形態に係る据置型浄水器の部分破断側面図。
【図３】図１のＡ−Ａ部拡大図。
【図４】図１のＡ−Ａ部の変形例１を示す拡大図。
【図５】図１のＡ−Ａ部の変形例２を示す拡大図。
【図６】本発明の第２実施形態に係る据置型浄水器の部分破断側面図。
【図７】同  変形例の部分破断側面図。
【発明を実施するための形態】
【００１３】
≪第１実施形態≫
図１〜図３に基づき本発明の第１実施形態に係る据置型浄水器を説明する。この据置型浄水器１は、水道などの蛇口２にナット８を介して接続される流路切替器３と、水道水などの原水を浄化するろ材を有するカートリッジ（フィルターユニット）４を内蔵した円筒状の浄水器本体５と、流路切替器３と浄水器本体５とを連通接続するホース６と、浄水器本体５の上部にスイング自在に支持されたＬ字状の浄水ノズル７と、を有している。このホース６を通じて浄水器本体５内に供給された原水はカートリッジ４のろ材により浄化され、浄化された浄水が浄水ノズル７を通じて排出される。
【００１４】
流路切替器３は、図１に示すように、蛇口２にナット８を介して接続され、後側の送水口９と、下側の原水出口１０と、内部に収納された図示省略の流路切替弁を操作するレバー１１とを備え、レバー１１が「原水」位置に設定されれば原水出口１０から原水が排出される一方、レバー１１が「浄水」位置に設定されれば原水が送水口９に接続されたホース６を介して浄水器本体５に供給される。
【００１５】
浄水器本体５は、図２に示すように、有底筒状の外枠１２（本体ケース）とカートリッジ４を支持して外枠１２に嵌め込まれる上蓋１３とを備え、カートリッジ４は両者１２，１３内に収容されている。このカートリッジ４のろ材は、主に活性炭が充填された外層と中空糸膜が充填された内層とで構成されている。
【００１６】
外枠１２の底部１４には、平板状に形成された樹脂製のカバー１５が着脱自在に嵌着している。この底部１４には環状の凹部１６が折曲形成されている一方、カバー１５の平面には凹部１６に嵌合する環状の凸部１７が立設されている。このカバー１５の底面は平坦状に形成され、その四隅にゴム足１８が固定されている。
【００１７】
前記両者１６，１７は、図３に示すように、相似の縦断面Ｌ字状に形成され、両者１６，１７間には僅かな隙間が発生している。具体的には凹部１６はカバー１５側の幅狭部１６ａと上蓋１３側の幅広部１６ｂとを有する一方、凸部１７はカバー１５の平面に周設された基部１７ａと基部１７ａの上端部に折曲形成された係合部１７ｂとを有している。
【００１８】
この係合部１７ｂは、弾性変形により幅狭部１６ａ内を通って幅広部１６ｂ内に入り込んでいる。ここでは両者１６，１７が嵌合すると同時に係合部１７ｂが幅広部１６ｂのカバー１５側の内面（以下、係合面とする。）１６ｃに係合し、これにより底部１４にカバー１５が取り付けられている。
【００１９】
このときカバー１５を抑えた状態で浄水器本体５を持ち上げるか、あるいは浄水器本体５を持ち上げてカバー１５を引っ張れば、係合部１７ｂが弾性変形し、係合部１７ｂの係合面１６ｃへの係合状態が解除される。これにより凹部１６から凸部１７が抜脱され、カバー１５を底部１４から簡単に取り外すことができる。
【００２０】
したがって、前記浄水器１によれば、カバー１５が食器洗浄時や調理作業時などにキッチンシンクからの水跳ねなどで汚れた場合にカバー１５を取り外して清掃することが可能となる。その結果、特許文献１，２のように清掃中に浄水器本体５を持ち上げている必要はなく、取り外したカバー１５の底面などを清掃するだけで汚れを落とすことができる。特にカバー１５の底面は平坦状なため、凹凸が無く清掃が容易であり、またカバー１５を水洗いして汚れを完全に落とすこともできる。
【００２１】
清掃後のカバー１５の取り付けに際しては、凸部１７と凹部１６とを位置決めして浄水器本体５をカバー１５に載置すれば、係合部１７ｂが弾性変形して幅狭部１６ｂ内を通って幅広部１６ｂ内に入り込んで両者１６，１７が嵌合する。これと同時に係合部１７ｂが係合面１６ｃに係合し、カバー１５を底部１４にワンタッチで簡単に取り付けることができる。このとき両者１６，１７間には隙間が発生しているため、カバー１５に対して浄水器本体５が回転可能となっており、ホース６の接続された浄水器本体５の周方向位置を調整しやすい。またカバー１５の四隅にゴム足１８が取り付けられているため、前記浄水器１の設置が安定し、倒れ難くすることができる。
【００２２】
なお、カバー部１５の材質は樹脂製に限らずゴム製でもよく、両者１６，１７間の隙間を無くしてゴム製の凸部１７を凹部１６に圧入してカバー１５を底部１４に取り付けてもよい。また、凸部１７の形状は必ずしも環状の必要はなく、例えば凹部１６の周方向に応じた位置に等間隔に形成された複数個（好ましくは４個）の突起としてもよい。
【００２３】
同様に凹部１６の形状も環状の必要はなく、例えば前記突起に応じた位置に形成された複数個の孔部としてもよい。さらにシンプルには、凹部１６、凸部１７がそれぞれ、中央に形成された１つの孔部、１つの突起であってもよい。これらいずれの構成によってもカバー１５を底部１４から容易に取り外すことができ、清掃が容易などの前記効果が得られる。
【００２４】
（１）変形例１
図４に基づきカバー１５の変形例１を説明する。ここではカバー１５の外径は底部１４の外径よりも大きく設定され、カバー１５の外周縁が底部１４からはみ出した把持部１９となっている。したがって、カバー１５の清掃時に把持部１９を押さえて浄水器本体５を持ち上げれば、底部１４からカバー１５を簡単に取り外すことができる。
【００２５】
（２）変形例２
図５に基づきカバー１５の変形例２を説明する。ここではカバー１５の把持部１９は上方向（上蓋１３側）に折曲形成され、内側面１９ａが外枠１２の下側面に密着している。
【００２６】
この構成によれば、変形例１と同様にカバー１５の清掃時に把持部１９を押さえて浄水器本体５を持ち上げれば、底部１４からカバー１５を簡単に取り外すことができる。なお、把持部１９の内側面１９ａに薄いゴムなどを貼付しておけば、外枠１２の下側面との間のシール性が向上し、両者１４，１５間への水や埃などの浸入が阻止できる。
【００２７】
≪第２実施形態≫
図６に基づき本発明の第２実施形態に係る据置型浄水器を説明する。ここでは据置型浄水器１は底部１４にカバー１５が着脱自在に螺設されており、底部１４の中央にねじ溝２１が形成されている一方、カバー１５は平面の中央にねじ溝２１に螺着する環状突起２２が立設されている。
【００２８】
ねじ溝２１の内周には雌ねじが形成されている一方、環状突起２２の外周には前記雌ねじに螺合する雄ねじが形成され、環状突起２２がねじ溝２１内に螺入している。したがって、清掃時にカバー１５を取り外す際は、浄水器本体５を持ち上げた状態でカバー１５を一方向に回転させれば、両者２１，２２の螺着が解除される。このときカバー１５の外周縁には、つまみ２３が延設されているため、つまみ２３を掴んでカバー１５を回転させればよく、この点でカバー１５を底部１４から簡単に取り外すことができる。
【００２９】
その結果、前記浄水器１によれば、第１実施形態と同様に平板状のカバー１５の底面などを清掃するだけでよく清掃が容易であり、水洗いによりカバー１５の汚れを完全に落とすこともできる。また、清掃後にカバー１５を取り付ける際には、浄水器本体５を持ち上げて環状突起２２にねじ溝２１を位置決めし、その後に摘みを掴んでカバー１５を他方向に回転させて環状突起２２をねじ溝２１内に螺入させればよく、カバー１５を底部１４に簡単に取り付けることができる。
【００３０】
なお、本発明は上記実施形態に限定されるものではなく、各請求項に記載された範囲内で変形して実施することができる。例えば図７に示すように、カバー１５の平面側にねじ溝２１を形成し、底部１４に環状突起２２を立設してもよい。
【００３１】
また、カバー１５の底部１４への螺着にはバヨネット構造を用いることもできる。この場合にはねじ溝２１ではなく溝部を底部１４に形成し、環状突起２２の雄ねじを廃止する。そして、前記溝部の内周と環状突起２２の外周とに２〜４枚のバヨネット爪を形成し、相対回転で着脱させればよい。
【符号の説明】
【００３２】
１…据置型浄水器
２…蛇口
３…流露切替器
４…カートリッジ
１２…外枠（本体ケース）
１４…底部
１５…カバー
【図１】
2015047589.tif 000003
【図２】
2015047589.tif 000004
【図３】
2015047589.tif 000005
【図４】
2015047589.tif 000006
【図５】
2015047589.tif 000007
【図６】
2015047589.tif 000008
【図７】
2015047589.tif 000009